(57)【特許請求の範囲】
【請求項１】
記録媒体を駆動する駆動部と、駆動部から離間して記録媒体の受け入れと排出を行う待機位置と駆動部へ接近し記録媒体を駆動部に装填する装填位置との間を移動するホルダーと、記録媒体を挿入方向および排出方向へ移動させる保持部材と、保持部材を挿入方向および排出方向へ駆動する移送アームと、駆動部およびホルダーを有する駆動ユニットを筐体に対して弾性支持する弾性支持部材と、前記駆動ユニットの側方で往復移動する切換え部材とを備え、
前記切換え部材は、モータの動力が伝達されて第１の方向または第２の方向へ駆動される第１のスライド板と、保持部材が挿入方向へ移動するときに移送アームによって第１のスライド板と独立して第１の方向へ移動させられる第２のスライド板と、第１のスライド板と第２のスライド板との間に設けられて第２のスライド板を第２の方向へ付勢して両スライド板を連結する付勢部材とを有し、
第１のスライド板には、第２の方向へ移動するときにホルダーを駆動部から離間させ、第１の方向へ移動するときにホルダーを駆動部へ接近させる傾斜部と、第２の方向へ移動するときに駆動ユニットを筐体に対してロックする規制部および、第１の方向へ移動するときに駆動ユニットのロックを解除して駆動ユニットを弾性支持状態とする遊び部とが設けられており、
移送アームの回動中心から移送アームと保持部材との連結点までの距離よりも、前記回動中心から移送アームと第２のスライド板との連結点までの距離が短く、
保持部材が挿入方向へ動いたときに、前記モータによって第１のスライド板が第１の方向へ駆動されることを特徴とする記録媒体駆動装置。
【請求項２】
他方の切換え部材が、駆動ユニットを挟んで前記切換え部材と逆の側に配置されており、両切換え部材の間に設けられた支点に回動自在に支持された駆動レバーの両端部により、駆動ユニットの両側に位置する切換え部材が互いに逆方向へ駆動される請求項１記載の記録媒体駆動装置。
【請求項３】
前記駆動レバーには検知スイッチを作動させる検知レバーがカム機構を介して連結されており、前記カム機構には、記録媒体の装填動作が完了する位置まで前記駆動レバーが回動したときに前記検知レバーを駆動する第１の操作部と、記録媒体の排出動作が完了する位置まで前記駆動レバーが回動したときに前記検知レバーを駆動する第２の操作部とが設けられている請求項２記載の記録媒体駆動装置。
【発明の詳細な説明】
【０００１】
【発明の属する技術分野】
本発明は、ＭＤ（ミニディスク）プレーヤなどの記録媒体駆動装置に係わり、特に記録媒体駆動装置内で行われる多くの動作を１つの駆動部材によって行なうことができる記録媒体駆動装置に関する。
【０００２】
【従来の技術】
従来のＭＤ（ミニディスク）プレーヤにおいては、挿入口に挿入されたＭＤは、ＭＤプレーヤ内の奥部に設けられたディスク駆動部に移送されるが、例えば挿入口の背部に設けられたホルダーなどに一時的に収容される。このホルダー内には、ＭＤを保持する保持部材が設けられており、別途設けられた移送アームが、前記保持部材とこの保持部材に保持されたＭＤとを一体としてＭＤプレーヤの奥部方向に移送する。
【０００３】
ディスク駆動部上まで移送されたＭＤは、その内部に回転自在に設けられている光磁気ディスクの金属ハブがターンテーブルに吸着されるよう下降させられ、記録または再生動作が行われる。一方、ＭＤを排出する際は、上記と逆に先ずＭＤをディスク駆動部から上昇させて金属ハブをターンテーブルから離脱させ、次に保持部材を挿入口方向へ移動させてＭＤを挿入口から排出させる。
【０００４】
【発明が解決しようとする課題】
ＭＤ内の光磁気ディスクは、ディスク駆動部内のターンテーブル上に正確に装填される必要があるが、この装填動作は通常上記ホルダーをディスク駆動部方向へ下降させることによって行われる。
またＭＤの挿入、排出時は、このＭＤの移送動作が確実に行われるようにするため、ホルダーおよびディスク駆動部を筐体に対して強固にロックする必要がある一方、ＭＤの記録又は再生動作中は、例えば車からＭＤやディスク駆動部へ振動が伝達されるのを防止するため、前記ロックを解除しホルダーおよびディスク駆動部を筐体内で弾性支持させる必要がある。
【０００５】
上記従来のＭＤプレーヤでは、挿入されたＭＤを保持しこのＭＤと共に移動する保持部材の往復動作、ホルダーの昇降動作、さらにホルダーおよびディスク駆動部のロック／ロック解除動作などの各動作を行うためにそれぞれに専用の駆動部材を必要とするものであった。よって、部品点数が多くなるとともにＭＤプレーヤの小型化を妨げるという問題がある。
本発明は上記従来の課題を解決するためのものであり、多くの動作を１つの駆動部材によって行なうことのできる記録媒体駆動装置を提供することを目的としている。
【０００６】
【課題を解決するための手段】
本発明は、記録媒体を駆動する駆動部と、駆動部から離間して記録媒体の受け入れと排出を行う待機位置と駆動部へ接近し記録媒体を駆動部に装填する装填位置との間を移動するホルダーと、記録媒体を挿入方向および排出方向へ移動させる保持部材と、保持部材を挿入方向および排出方向へ駆動する移送アームと、駆動部およびホルダーを有する駆動ユニットを筐体に対して弾性支持する弾性支持部材と、前記駆動ユニットの側方で往復移動する切換え部材とを備え、
前記切換え部材は、モータの動力が伝達されて第１の方向または第２の方向へ駆動される第１のスライド板と、保持部材が挿入方向へ移動するときに移送アームによって第１のスライド板と独立して第１の方向へ移動させられる第２のスライド板と、第１のスライド板と第２のスライド板との間に設けられて第２のスライド板を第２の方向へ付勢して両スライド板を連結する付勢部材とを有し、
第１のスライド板には、第２の方向へ移動するときにホルダーを駆動部から離間させ、第１の方向へ移動するときにホルダーを駆動部へ接近させる傾斜部と、第２の方向へ移動するときに駆動ユニットを筐体に対してロックする規制部および、第１の方向へ移動するときに駆動ユニットのロックを解除して駆動ユニットを弾性支持状態とする遊び部とが設けられており、
移送アームの回動中心から移送アームと保持部材との連結点までの距離よりも、前記回動中心から移送アームと第２のスライド板との連結点までの距離が短く、
保持部材が挿入方向へ動いたときに、前記モータによって第１のスライド板が第１の方向へ駆動されることを特徴とするものである。
【０００７】
本発明に係る記録媒体駆動装置は、記録媒体として、たとえばＭＤ（ミニディスク）などの光磁気ディスク，ＣＤ（コンパクトディスク）やＤＶＤ（ディジタルバーサタイルディスク）などの光ディスク，ＦＤ（フロッピーディスク）などの磁気ディスク，メモリーカード，あるいはカセットテープなどが装填され、この記録媒体に対する情報の記録又は再生機能、あるいは記録と再生の両機能を備えたものである。
【０００８】
本発明では、切換え部材が往復移動することによって、記録媒体の挿入時および排出時には、駆動部とホルダーとを備えた駆動ユニットを筐体に対して拘束することができ、また記録媒体の駆動時（記録又は再生時）には拘束状態にある前記駆動ユニットを非拘束状態とすることができる。これによれば、記録媒体を確実に挿入、排出方向へ移送することができるとともに、記録および／または再生の際には、駆動部が弾性支持状態となるため、車両等からの振動を吸収することができ、記録エラーや再生エラーの発生が防止可能となる。
【０００９】
また、上記切換え部材の移動力により、記録媒体を収容するホルダーを駆動部に対して接近、離間する方向へ移動させることができる。このように１つの切換え部材の往復移動により、駆動ユニットの筐体に対するロック／ロック解除動作、および記録媒体の駆動部に対する装填／離脱動作をタイミング良く行なうことができ、部品点数の削減および装置全体の小型化を図ることが可能となる。
また、ホルダー内での記録媒体の挿入または排出方向への移送を行なう移送アームを切換え部材の往復移動に合わせて駆動することができる。すなわち、切換え部材に移送アームを駆動する駆動部材としての機能を併有させることができる。
さらに、記録媒体がホルダー内に挿入されると、この挿入力で移送アームが押されて移動し始め、第２のスライド板が付勢部材の付勢力に逆らって移動するが、途中でその挿入を取り止めて記録媒体を引き出した場合であっても、前記付勢部材の復帰力によって第２のスライド板が元の方向へ戻される。これにより、移送アームが逆方向に移動し最初の位置に復帰する。すなわち、上記構成とすることにより、切換え部材に移送アームを初期の状態に戻す復帰部材としての機能を併有させることができる。
【００１０】
また、他方の切換え部材が、駆動ユニットを挟んで前記切換え部材と逆の側に配置されており、両切換え部材の間に設けられた支点に回動自在に支持された駆動レバーの両端部により、駆動ユニットの両側に位置する切換え部材が互いに逆方向へ駆動されるものが好ましい。
これによれば、一対の切換え部材が駆動レバーによって同時に相対的に駆動でき、ホルダーの両側方に設けられる昇降ピンが切換え部材の傾斜部を登坂し又は下降するタイミングを一致させることができる。よって、ホルダーの姿勢を水平に維持したまま駆動部に対して接離方向へ移動させることが可能となるため、記録媒体の駆動部への装填／離脱を確実なものとすることができる。
【００１３】
また前記駆動レバーには検知スイッチを作動させる検知レバーがカム機構を介して連結されており、前記カム機構には、記録媒体の装填動作が完了する位置まで前記駆動レバーが回動したときに前記検知レバーを駆動する第１の操作部と、記録媒体の排出動作が完了する位置まで前記駆動レバーが回動したときに前記検知レバーを駆動する第２の操作部とが設けられているものが好ましい。
これによれば、１つの検知スイッチによって、駆動レバーおよびこの駆動レバーに駆動される切換え部材が記録媒体の装填完了位置および排出完了位置まで移動したことを検知でき、検知機構を簡素化することができる。
【００１４】
上記のように、切換え部材は駆動ユニットの側方を往復移動するものであるが、駆動ユニットを収容する固定部（主筐体および固定シャーシ）の外面側を摺動するものであってもよく、または固定部の内面側を摺動するものであってもよい。あるいは、駆動ユニットの両側方に配置される一対の切換え部材のうち、いずれか一方の切換え部材は固定部の外面側に沿って摺動し、他方の切換え部材が内面側を摺動するものであってもよい。また切換え部材は、記録媒体の挿入−排出方向（Ｙ方向）に摺動されるもののほか、例えば上下方向（Ｚ方向）あるいは左右（幅）方向（Ｘ方向）に移動することにより、各種の動作が行われるものであってもよい。
【００１５】
【発明の実施の形態】
以下、本発明について図面を参照して説明する。
図１は、本発明の実施の形態を示し、（Ａ）はＭＤプレーヤ内に配置されるディスクユニットを示す平面図、（Ｂ）はその正面図、図２は同ディスクユニットの分解斜視図、図３は同ディスクユニット内に設けられる駆動ユニット（ディスク保持・駆動部）の分解斜視図である。
【００１６】
図１に示すディスクユニットＡは、車載用のＭＤ（ミニディスク）プレーヤ内に設けられ、ＭＤに記録された信号の再生および／またはＭＤに対して信号を記録するものである。図１（Ｂ）に示すように、ディスクユニットＡの図示Ｙ１側の面は、記録媒体であるＭＤをディスクユニットＡ内に挿入するための挿入面Ａ１とされている。また、この挿入面Ａ１の奥部（Ｙ２）方向には、ディスク保持部Ｂ１およびディスク駆動部Ｂ２から構成される駆動ユニット（ディスク保持・駆動部）Ｂが設けられている。前記ディスク保持部Ｂ１は、ＭＤプレーヤの前面パネル（図示せず）に形成されたディスク挿入口に対向するように設けられる。
【００１７】
図２に示すように、ディスクユニットＡでは、金属板をプレス加工して形成された主筐体１６の上に図示一点鎖線で示す駆動ユニット（ディスク保持・駆動部）Ｂが設けられている。なお、符号１６Ａ、１６Ｂ及び１６Ｃは、主筐体１６の底板、側板及び後板をそれぞれ示している。
【００１８】
前記底面１６Ａには、四角形状の大角孔１６ａが穿設され、この大角孔１６ａのＹ２側の縁部近傍には、回転軸１６ｂが突出形成されている。この回転軸１６ｂは、駆動レバー１７の中心部に穿設された回転孔１７ｅに挿通され、これにより駆動レバー１７は、図示α１およびβ１方向に回動自在に支持されている。駆動レバー１７の図示Ｘ１側には、駆動片１７ａが形成されており、この駆動片１７ａが後述する切換え部材である摺動板２１の係止部２１ｇに挿通される。また駆動片１７ａよりもＸ２側には、扇形状のギヤ部１７ｄが形成されている。
一方、駆動レバー１７の図示Ｘ２側には、駆動溝１７ｃ（カム溝）および駆動片１７ｂが形成されており、駆動片１７ｂは後述する第１のスライド板（切換え部材）２３の係止部２３ｇに係止されている。
【００１９】
主筐体１６の大角孔１６ａの角部近傍には、回転軸１８ａが底板１６Ａに支持されることによりこの回転軸１８ａを中心に回転自在となる第１の押圧部材（検知レバー）１８が設けられている。この第１の押圧部材１８には、符号１８ｂで示す凸部および、符号１８ｃで示す押圧片が形成されている。凸部１８ｂは、前記駆動レバー１７の駆動溝１７ｃに挿通されている。そして、駆動レバー１７がα１又はβ１方向に回動することにより、前記第１の押圧部材１８が図示α２又はβ２方向に回動させられるものとなっている。なお、駆動レバー１７の駆動溝１７ｃおよび第１の押圧部材１８の凸部１８ｂによりカム機構が構成されている。
【００２０】
一方、前記押圧片１８ｃと対向する位置には第１の検知スイッチＳＷ１が設けられており、第１の押圧部材１８が図示α２又はβ２方向に回動することにより、押圧片１８ｃが第１の検知スイッチＳＷ１のアクチュエータを押圧し、又はその押圧を解除して第１の検知スイッチＳＷ１のオン、オフの切換えが可能となっている。
【００２１】
主筐体１６の後板１６Ｃには、このディスクユニットＡの各部材を駆動するモータＭが取り付けられている。このモータＭの駆動軸には、減速ギヤ群２５が連結されており、この減速ギヤ群２５の１つのギヤに前記駆動レバー１７に形成された扇形状のギヤ部１７ｄが噛み合っている。すなわち、駆動レバー１７は、前記減速ギヤ群２５を介してモータＭの駆動力が伝達され、図示α１又はβ１方向に回動されるものとなっている。
【００２２】
主筐体１６の側板１６Ｂには、図３に示すディスク駆動部Ｂ２の駆動ベース１５に設けられた保持突起１５ａおよび１５ｂが挿通される角穴１６ｃ及び１６ｄ、並びにディスク保持部Ｂ１の昇降部材１４に突設された昇降ピン１４ａが挿通される穴１６ｅが穿設されている。
【００２３】
また、主筐体１６の側板１６ＢのＸ１側の側面には、側板１６Ｂに沿ってＹ１及びＹ２方向に移動可能な摺動板（切換え部材）２１が設けられている。この摺動板２１には、前記側板１６Ｂに穿設されている角穴１６ｃ、１６ｄおよび穴１６ｅに対向し、駆動ベース１５の保持突起１５ａ、１５ｂおよび昇降部材１４の昇降ピン１４ａが挿通される遊び部２１ａ、２１ｂおよび２１ｃがそれぞれ穿設されている。これらの各遊び部２１ａ、２１ｂおよび２１ｃには、Ｙ２方向に連続して延びる規制部２１ｄ、２１ｅおよび２１ｆがそれぞれ形成されている。なお、規制部２１ｆは、図示Ｚ１方向に寄った位置に形成されており、遊び部２１ｃと規制部２１ｆとの間には、傾斜部２１ｉが形成されている。
【００２４】
主筐体１６の図示Ｘ２側には、金属板を断面Ｌ字状に折り曲げた固定シャーシ２２が設けられている。この固定シャーシ２２は、上板部２２Ａ，側板部２２Ｂ、および上板部２２ＡからＺ２方向に一段下がった位置に形成された支持部２２Ｃから構成されており、支持部２２ＣのＹ２側端部に形成された角孔２２ｈが主筐体１６の後板１６Ｃの上端縁に設けらた掛止片１６ｆに挿通され、掛止片１６ｆの先端に捻られるなどして主筐体１６に対し強固に固定されている。
【００２５】
前記側板部２２Ｂには、図３に示すディスク駆動部Ｂ２の駆動ベース１５に設けられる保持突起１５ｃおよび１５ｄが挿通される角穴２２ａ及び２２ｂ、並びに図３に示すディスク保持部Ｂ１の昇降部材１４に突設される昇降ピン１４ｂが挿通される穴２２ｃがそれぞれ穿設されている。また上板部２２Ａには、この上板部２２Ａから斜め下方（Ｚ２方向）へ突出する凸型形状の押圧片２２ｇが形成されている。
【００２６】
また、固定シャーシ２２のＸ２側には、第１のスライド板２３および第２のスライド板２４からなる切換え部材が設けられている。第１のスライド板２３は、前記側板部２２Ｂに沿って図示Ｙ１−Ｙ２方向に摺動自在に設けられている。また第２のスライド板２４は、この第１のスライド板２３の側面に沿って摺動自在となっている。
【００２７】
第１のスライド板２３は金属板により形成され、前記側板部２２Ｂの角穴２２ａ、２２ｂおよび穴２２ｃに対向する遊び部２３ａ、２３ｂ、２３ｃがそれぞれ穿設されている。また、これら遊び部２３ａ、２３ｂおよび２３ｃの図示Ｙ１側には、遊び部２３ａ、２３ｂおよび２３ｃに連続する規制部２３ｄ、２３ｅおよび２３ｆがそれぞれ形成されている。なお、規制部２３ｆは、Ｚ１方向に寄った位置に形成されており、遊び部２３ｃと規制部２３ｆとの間には、傾斜部２３ｉが形成されている。
【００２８】
第２のスライド板２４も金属板からプレス加工により形成されたものであり、上板部２４Ａおよび側板部２４Ｂを有している。図２に示すように、上板部２４Ａには、Ｙ方向に延びる長溝２４ｇおよび回動溝２４ｈが形成されている。また回動溝２４ｈの図示Ｙ１側の端部には、係止溝２４ｊが連設されている。
一方、側板部２４Ｂには、前記固定シャーシ２２の角穴２２ａおよび穴２２ｃに対向する遊び部２４ａおよび２４ｃがそれぞれ穿設されている。この遊び部２４ａおよび２４ｃの図示Ｙ１側には、規制部２４ｄおよび２４ｆがそれぞれ連設されている。規制部２４ｆは、Ｚ１方向に寄った位置に形成されており、遊び部２４ｃと規制部２４ｆとの間には、傾斜部２４ｉが形成されている。
【００２９】
なお、前記第１のスライド板２３と第２のスライド板２４との間には、符号Ｓ１で示す引張ばね（付勢部材）が張架されており、両者の間では第１のスライド板２３はＹ１側に付勢され、第２のスライド板２４はＹ２方向に付勢される関係となっており、この状態で遊び部２３ａと２４ａ、遊び部２３ｃと２４ｃ、規制部２３ｄと２４ｄ、同じく２３ｆと２４ｆとがそれぞれ重なり合っている。よって、駆動ベース１５の保持突起１５ｃは、固定シャーシ２２の角穴２２ａ、第１のスライド板２３の遊び部２３ａ、第２のスライド板２４の遊び部２４ａに順次挿通され、保持突起１５ｄも角孔２２ｂ、遊び部２３ｂに順次挿通される。
同様に昇降部材１４の昇降ピン１４ｂは、固定シャーシ２２の穴２２ｃ、第１のスライド板２３の遊び部２３ｃ、第２のスライド板２４の遊び部２４ｃに順次挿通される。そして、通常この状態が維持されて第１のスライド板２３と第２のスライド板２４が図示Ｙ１−Ｙ２方向へ移動可能となっている。
【００３０】
また前記固定シャーシ２２の内部（Ｘ１）側には、符号２８で示すロック部材が設けられている。ロック部材２８の中央部には、支持穴２８ａが穿設されており、固定シャーシ２２の側板部２２ＢからＸ１方向にに切り起こされた支持部２２ｆが支持穴２８ａに挿通されることにより、ロック部材２８は固定シャーシ２２に回動自在に支持されている。ロック部材２８には、係止凹部２８ｂが形成されており、この係止凹部２８ｂに上記第１のスライド板２３から図示Ｘ１方向に突設された係止凸部２３ｈが係止されるようになっている。
【００３１】
また、前記固定シャーシ２２の上板部２２Ａには、図示Ｚ１方向に突出する支軸２２ｄが設けられている。支軸２２ｄは、前記第２のスライド板２４の長溝２４ｇに挿通され、さらにその先端は符号２６で示す移送アームの挿通孔２６ｄに挿通されており、これにより移送アーム２６が図示α４およびβ４方向に回動自在に支持されている。上板部２２Ａの支軸２２ｄよりもＹ２側には、規制穴２２ｅが穿設されており、この規制穴２２ｅ内には、符号２７で示す第２の押圧部材２７から図示Ｚ２方向に曲げ形成された規制片２７ａが挿入され、これにより第２の押圧部材２７は、図示α３およびβ３方向に所定の範囲内で回動可能となっている。
【００３２】
また第２の押圧部材２７には、押圧部２７ｂが折曲形成されており、この押圧部２７ｂの対向する位置には第２の検知スイッチＳＷ２が設けられている（図１（Ａ）参照）。すなわち、第２の押圧部材２７が図示α３又はβ３方向に回動することにより、第２の検知スイッチＳＷ２のオン、オフの切換えが可能となっている。さらに第２の押圧部材２７の図示Ｙ１側の端部には、折曲片２７ｃが形成されており、この折曲片２７ｃが上記移送アーム２６に形成された案内溝２６ａ内に挿通されている。
【００３３】
上記移送アーム２６には、図示Ｚ２方向に延びる挿入ピン２６ｂと、この挿入ピン２６ｂに対して挿通孔２６ｄを挟んで反対側に位置する被回動ピン２６ｃとが設けられている。前記挿入ピン２６ｂは、図３に示すディスク保持部Ｂ１のホルダー１３に形成された逃げ溝１３ｃおよび保持部材１２の長溝１２ｇに挿通され（図１（Ａ）参照）、移送アーム２６のα４−β４方向への回動に伴なって保持部材１２をＹ１−Ｙ２軸方向に移動させるものとなっている。一方、被回動ピン２６ｃは、第２のスライド板２４の回動溝２４ｈに挿通されている。
【００３４】
また主筐体１６の図示Ｙ１側には、支持枠２９が取り付けられており、この支持枠２９のＸ２側の内側面には、ダンパー部材３２が固定されている。この支持枠２９の上面の図示Ｘ１側には、斜め下方へ凸状に突出する押圧片２９ａが形成されている。
【００３５】
前記ディスク保持部Ｂ１は、保持部材１２、ホルダー１３および昇降部材１４から構成されている。保持部材１２は、例えばポリアセタールなどの合成樹脂から略コの字状に射出成形等された成形品である。図３に示すように保持部材１２のＸ１及びＸ２側の両端には、保持アーム１２ａおよび１２ｂが形成されている。保持アーム１２ａおよび１２ｂは、図示Ｘ方向に弾性変形可能となっており、その先端で且つ互いに対向する位置には保持突起１２ｃ及び１２ｄがそれぞれ一体に形成されている。
【００３６】
また保持突起１２ｃおよび１２ｄの下部（Ｚ２側）には、それぞれ支持部１２ｅおよび１２ｆが一体に形成されている。さらに保持部材１２の上面には、符号１２Ａ及び１２Ｂで示す摺動部が突設されており、また前記長溝１２ｇがＺ方向に貫通して形成されている。なお、保持アーム１２ａと１２ｂの対向内面間の幅寸法Ｗは、ＭＤのケースＣの幅寸法Ｗｃ（図４参照）とほぼ同じ寸法に形成されており、前記保持突起１２ｃ，１２ｄの対向内面間の距離Ｗａは前記幅寸法Ｗよりも小さくなっている。
【００３７】
ホルダー１３、昇降部材１４およびディスク駆動部Ｂ２を構成する駆動ベース１５は、金属板をプレス加工することによりそれぞれ形成されている。
前記ホルダー１３は、上板１３Ａの両側端を曲げ形成してなる側板１３Ｂ，１３Ｃを有している。またこの側板１３Ｂ，１３Ｃの一部は、互いに接近する方向に曲げ形成されており、ＭＤの下面を案内する保持板１３Ｄおよび１３Ｅとなっている。またホルダー１３の図示Ｙ２側の端部には、段差部１３Ｆが形成されている。
【００３８】
前記上板１３Ａ、側板１３Ｂ，１３Ｃ、および保持板１３Ｄ，１３Ｅによって囲まれるホルダー１３の内部領域Ｓｐには、図示Ｙ１側からＹ２方向へ向けてＭＤが挿入される。なお、上板１３Ａ、側板１３Ｂ，１３Ｃおよび保持板１３Ｄ，１３Ｅの図示Ｙ１側の端部は、それぞれ外側方向に折り曲げられ、ＭＤを前記内部領域Ｓｐ内に案内しやすくなっている。
【００３９】
ホルダー１３の上板１３Ａには、Ｙ方向に直線的に延びるガイド溝１３ａ，１３ｂ、および挿入ピン２６ｂの円弧動作を許容する逃げ溝１３ｃが穿設されている。そして、図５(Ａ)に示すように、このガイド溝１３ａおよび１３ｂには、前記保持部材１２の摺動部１２Ａおよび１２Ｂがそれぞれ入り込んでこの保持部材１２がＹ軸方向に移動可能に支持されている。
【００４０】
また、ホルダー１３の上板１３ＡのＸ方向の両端には、凸状に延びた支持部１３ｄおよび１３ｅがそれぞれ突設されている。この支持部１３ｄおよび１３ｅの上面には、Ｚ１方向に突設して延びる突状が形成されており、各支持部１３ｄ、１３ｅは、昇降部材１４の支持穴１４ｅ，１４ｆの内部に挿入される。またホルダー１３の側板１３Ｂおよび１３Ｃには、その一部を切り欠いた切欠部１３ｆおよび１３ｇが形成されている。保持部材１２が図５（Ａ），（Ｂ）に示す待機位置（保持部材１２の摺動部１２Ａ，１２Ｂがガイド溝１３ａ，１３ｂのＹ１側端部に位置する状態）にあるとき、前記保持アーム１２ａのＸ１側の側面と保持アーム１２ｂのＸ２側の側面が前記切欠部１３ｆ，１３ｇに対向する。側板１３Ｂと１３Ｃの前記切欠部１３ｆ，１３ｇよりもＹ２側の部分は規制片１３ｉ，１３ｊであり、保持部材１２が前記待機位置からＹ２方向へ移動するときに、保持アーム１２ａ，１２ｂの外側面は、前記規制片１３ｉ，１３ｊの内面を摺動し、または微少隙間を介して規制片１３ｉ，１３ｊに対向しながら移動する。
【００４１】
また図３に示すように、ホルダー１３の一方の側板１３Ｂの外側には、金属製の板ばねなどの弾性を有する部材から構成される閉鎖部材（押圧部材）Ｋが固着されており、その自由側の一部は図示Ｘ２方向にＶ字状に曲げ形成された凸部Ｋ１となっている。閉鎖部材Ｋの凸部Ｋ１は、ホルダー１３の内部領域Ｓｐ内（Ｘ２方向）へ突出し、ＭＤのシャッタＧの側面に形成された保持穴Ｇ１（図４参照）内に進入可能となっている。なお、側板１３Ｂには、図示破線で示すようにその一部がＸ２方向に折り曲げられた開口片１３ｈが設けられている。
【００４２】
昇降部材１４は、金属板を略コの字状に曲げ形成したものであり、その両端の支持アーム１４Ａおよび１４Ｂには、前記昇降ピン１４ａおよび１４ｂが突設されている。前記昇降ピン１４ａは、図２に示す主筐体１６の側板１６Ｂの孔１６ｅおよび摺動板２１の遊び部２１ｃに挿通される。同様に昇降ピン１４ｂは、固定シャーシ２２の穴２２ｃ、第１のスライド板２３の遊び部２３ｃおよび第２のスライド板２４の遊び部２４ｃ内に挿通される。
【００４３】
支持アーム１４Ａおよび１４Ｂの図示Ｙ１側の先端には、前記支持穴１４ｅおよび１４ｆが穿設されており、この支持穴１４ｅおよび１４ｆの内部に前記ホルダー１３の支持部１３ｄおよび１３ｅが挿通される。そして、ホルダー１３は、前記支持部１３ｄおよび１３ｅを支点に図示γ１およびδ１方向に回動自在に支持される。また昇降部材１４のＹ２側端部には、符号１４ｃおよび１４ｄで示す凸部が形成されている。
【００４４】
駆動ベース１５の図示Ｙ２側には、支持部１５ｅおよび１５ｆが折曲形成されており、この支持部１５ｅおよび１５ｆには略台形状の支持穴１５ｅ１および１５ｆ１がそれぞれ穿設されている。そして、この支持穴１５ｅ１および１５ｆ１の内部には、前記昇降部材１４の凸部１４ｃおよび１４ｄが遊挿される。よって、昇降部材１４は凸部１４ｃおよび１４ｄを支点として図示γ２およびδ２方向にわずかに回動自在に支持されている。
【００４５】
駆動ベース１５には、符号１５ｇおよび１５ｈで示す掛止部が形成されており、この掛止部１５ｇと前記昇降部材１４の昇降ピン１４ａとの間には反転ばねからなる付勢部材Ｓ２が掛けられている。同様に掛止部１５ｈと昇降ピン１４ｂとの間にも、反転ばねからなる付勢部材Ｓ３が掛けられている。この付勢部材Ｓ２およびＳ３は、昇降ピン１４ａおよび１４ｂを図示Ｚ１又はＺ２方向に付勢するものであり、昇降部材１４を介してホルダー１３を駆動ベース１５側に押し付け、およびホルダー１３を駆動ベース１５から浮上する方向に押し上げる機能を有している。
また駆動ベース１５には、図示しないスピンドルモータの回転軸Ｍａに軸支されたターンテーブルＴａと、このターンテーブルＴａに対し図示Ｘ１−Ｘ２方向に直線的に移動するピックアップＰとが設けられている。
【００４６】
上記のように構成される駆動ユニットＢは、駆動ベース１５に設けられた支持ピン１５ｉ，１５ｊおよび１５ｋが、主筐体１６に設けられたダンパー部材３０，３１および支持枠２９に設けられたダンパー部材３２によって弾性的に支持されている。ダンパー部材としては、例えばシリコンオイルが封入されたオイルダンパーなどが使用されている。
【００４７】
さらに、このダンパー部材３０，３１および３２に近接する位置には、前記主筐体１６又は固定シャーシ２２にその一端が係止されたスプリングコイルなどの付勢部材が設けられている。そして、この付勢部材の他端は、駆動ベース１５に係止されている（図示せず）。すなわち、駆動ユニットＢは、前記ダンパー部材３０，３１，３２により主筐体１６に弾性的に支持されているとともに上記付勢部材によって弾性的に吊設されている。
【００４８】
次に、上記ディスクユニットＡの動作を説明する。
（待機状態）
ＭＤがディスクユニットＡの内部に挿入される前の待機状態では、駆動レバー１７はギヤ部１７ｄと減速ギヤ群２５との噛み合いによってα１方向へ最も回動させられた位置にある。このとき、駆動片１７ａが摺動板２１の係止部２１ｇをＹ１方向へ押圧し、摺動板２１は図示Ｙ１方向へ最も移動した位置にある。よって、駆動ベース１５の保持突起１５ａおよび１５ｂが摺動板２１の遊び部２１ａ，２１ｂから規制部２１ｄ，２１ｅ内にそれぞれ入り込み、同様に規制部２１ｆ内に昇降部材１４の昇降ピン１４ａが入り込んでいる。
【００４９】
これと同時に駆動レバー１７の駆動片１７ｂは第１のスライド板２３の係止部２３ｇを図示Ｙ２方向へ押圧するため、第１のスライド板２３および第１のスライド板２３に対して引張ばね（付勢部材）Ｓ１を介して連結されている第２のスライド板２４は共に図示Ｙ２方向へ最も移動した位置にある。よって、第１のスライド板２３の規制部２３ｄおよび第２のスライド板２４の規制部２４ｄ内に駆動ベース１５の保持突起１５ｃが入り込んでいる。同様に駆動ベース１５の保持突起１５ｄは、第１のスライド板２３の規制部２３ｅ内に入り込んでいる。さらに昇降部材１４の昇降ピン１４ｂは、第１のスライド板２３の規制部２３ｆおよび第２のスライド板２４の規制部２４ｆ内に入り込んでいる。
【００５０】
すなわち、駆動ベース１５のすべての保持突起１５ａ，１５ｂ，１５ｃおよび１５ｄは、規制部２１ｄ，２１ｅ，２３ｄ，２３ｅおよび２４ｄの内部にそれぞれ入り込むことにより、駆動ベース１５は上下（Ｚ）方向、および前後（Ｙ）方向へ移動できないロック状態となっている。このロック状態では、駆動ベース１５は摺動板２１、第１のスライド板２３および第２のスライド板２４に対して強固に固定された状態にある。同様に昇降部材１４も、昇降ピン１４ａ，１４ｂが規制部２１ｆ，２３ｆおよび２４ｆの内部に入り込んでロック状態となっており、昇降部材１４は摺動板２１、第１のスライド板２３および第２のスライド板２４に対して固定された状態にある。
【００５１】
なお、昇降部材１４は、昇降ピン１４ａおよび１４ｂが傾斜部２１ｉ，２３ｉおよび２４ｉをそれぞれ登坂し、Ｚ１方向へ持ち上げられて規制部２１ｆ，２３ｆおよび２４ｆに入り込んでいる。よって、昇降部材１４はγ２方向（図３参照）に回動させられ、ホルダー１３は駆動ベース１５からＺ１方向へ浮上した位置に保持されている。
【００５２】
このとき、ホルダー１３の上方には、上記押圧片２２ｇおよび２９ａを有する固定シャーシ２２の上板部２２Ａおよび支持枠２９が対向しており、図１（Ｂ）に示すように前記ホルダー１３が浮上した位置においてホルダー１３の両側がそれぞれ押圧片２２ｇおよび２９ａに当接することになる。よって、ホルダー１３は、γ１およびδ１方向の回動（図３参照）が抑制され、さらにＸ１−Ｘ２方向へ移動しないように保持されている。
【００５３】
そして、このように駆動ベース１５から浮上し押圧片２２ｇ，２９ａで保持され位置決めされた状態で、ホルダー１３がＭＤプレーヤの図示しない前面パネルに設けられたディスク挿入口と対向する。
また、第１のスライド板２３および第２のスライド板２４がＹ２方向に移動させられると、移送アーム２６の被回動ピン２６ｃが回動溝２４ｈに連設された係止溝２４ｊに係止されるとともに図示Ｙ２方向に押圧される。よって、移送アーム２６は、支軸２２ｄを中心に図示α４方向に回動し、挿入ピン２６ｂがホルダー１３の逃げ溝１３ｃ内をＹ１方向へ移動する。よって、保持部材１２は、挿入ピン２６ｂによって図示Ｙ１方向へ移動させられた待機位置に位置する（図１（Ａ）参照）。この待機位置では、保持部材１２の保持アーム１２ａ，１２ｂがホルダー１３の側板１３Ｂ，１３Ｃに形成された切欠部１３ｆ，１３ｇの内側に対向している。
【００５４】
また、ＭＤの挿入前の状態では、駆動レバー１７はα１方向に最も回動されているため、第１の押圧部材１８の凸部１８ｂが駆動溝１７ｃの第1の回動溝１７ｃ１に沿って移動し、第１の押圧部材１８は図示α２方向に回動させられている。よって、第１の押圧部材１８の押圧片１８ｃが第１の検知スイッチＳＷ１から離間するため、第１の検知スイッチＳＷ１はオフ状態であり、ＭＤプレーヤ内の図示しない制御部により、ＭＤの排出完了状態、つまり待機状態であることが認識されるようになっている。すなわち、前記駆動溝１７ｃは、その中間部１７ｃ３が回転孔１７ｅを中心とした円弧軌跡上に位置しており、第１の押圧部材１８の凸部１８ｂがこの中間部１７ｃ３内に位置しているときには、第１の押圧部材１８が駆動されずβ２方向へ回動した状態に保持される。駆動溝１７ｃの両端の第１の回動溝（第２の操作部）１７ｃ１と第２の回動溝（第１の操作部）１７ｃ２は、中間部１７ｃ３から図示Ｘ２方向へ傾斜して延びており、よって凸部１８ｂが駆動溝１７ｃの第１の回動溝１７ｃ１と第２の回動溝１７ｃ２内を移動するときのみ、第１の押圧部材１８が図示α２方向へ回動させられ、第１の検知スイッチＳＷ１がオフ状態とされる。このように、１つの検知スイッチＳＷ１がオフ状態により、駆動レバー１７の複数の回動位置を検知できるため、検知機構が簡素化されている。
【００５５】
一方、図１に示すように移送アーム２６がα４方向に回動している状態では、第２の押圧部材２７の折曲片２７ｃが案内溝２６ａのＹ２側の円弧溝２６ａ１に入り込むため、第２の押圧部材２７はβ３方向に回動させられている。よって、押圧部２７ｂが上記第２の検知スイッチＳＷ２を押圧すため、第２の検知スイッチＳＷ２がオン状態となっている。
（記録媒体の導入動作）
図４はＭＤ（ミニディスク）を示す斜視図、図５はＭＤがホルダーの内部に挿入され始めた状態を示し、（Ａ）は平面図、（Ｂ）は側面図、図６はシャッタと閉鎖部材との関係を示す拡大断面図である。
【００５６】
図４および図５（Ａ）に示すように、記録媒体であるＭＤは、外側がケースＣによって覆われ、このケースＣ内に光磁気ディスクＤが回転可能に設けられたものである。ケースＣには、シャッタＧがＹ１−Ｙ２方向にスライド自在に設けられており、前記シャッタＧを図示Ｙ１方向に移動させることにより、内部に設けられている光磁気ディスクＤが摺動凹部Ｃ３に形成されている開口窓Ｃ４（図６参照）から露出され、情報の記録又は再生が可能な状態となる。またケースＣの挿入方向先端（図示Ｙ２側）の両側下面には、凹部Ｃ１、Ｃ１が設けられている。前述したように、ＭＤの幅寸法Ｗｃは、上記保持部材１２の保持アーム１２ａ，１２ｂ間の幅寸法Ｗと同等若しくはこれより若干小さく、且つ保持突起１２ｃ，１２ｄ間の距離Ｗａよりも大きいものである。
【００５７】
図５に示すように、保持部材１２が最もＹ１方向に移動した待機位置では、保持部材１２の保持アーム１２ａおよび１２ｂがホルダー１３の側板１３Ｂ，１３Ｃに形成された切欠部１３ｆおよび１３ｇの内側に対向している。よって、保持アーム１２ａおよび１２ｂは、ともにＸ軸方向への弾性変形が許容され、保持アーム１２ａと保持アーム１２ｂとの間の幅寸法Ｗを広げることが可能となっている。
【００５８】
ホルダー１３の内部領域ＳｐにＭＤが挿入され始めると、シャッタＧを有するＸ１側のＭＤの先端部が閉鎖部材Ｋの凸部Ｋ１のテーパ部Ｋ２に当接する。さらにＭＤが挿入されると、テーパ部Ｋ２はＭＤの先端部に押圧され、閉鎖部材Ｋの自由端側が図示Ｘ１方向に弾性変形する。そして、そのままＭＤが挿入されると、閉鎖部材Ｋの凸部Ｋ１がＭＤの側面およびシャッタＧの側面を図示Ｘ２方向に付勢しながら摺動する。
【００５９】
またこのとき、保持アーム１２ａおよび１２ｂの先端にある保持突起１２ｃおよび１２ｄにＭＤの先端の両端部が当接し、ＭＤの挿入に伴い保持アーム１２ａおよび１２ｂがそれぞれＸ１、Ｘ２方向へ弾性変形し、切欠部１３ｆと１３ｇ内へ入り込む。これにより、保持突起１２ｃ，１２ｄ間の距離ＷａがＭＤの幅寸法Ｗｃと同等となるように広げられ、ＭＤの先端が保持突起１２ｃ，１２ｄ間を通過する。そして、さらにＭＤを挿入すると、保持アーム１２ａ，１２ｂの弾性復帰力により、前記保持突起１２ｃおよび１２ｄがＭＤの両端の凹部Ｃ１およびＣ１に入り込む。これにより、ＭＤは保持部材１２によって両サイドから軽く係止されて保持される。
【００６０】
この状態からさらにＭＤをＹ２方向に押し込むと、保持部材１２がＹ２方向に押圧される。保持部材１２の長溝１２ｇには、移送アーム２６の挿入ピン２６ｂが挿入されているため、保持部材１２がＹ２方向へ押圧されて移動することにより、移送アーム２６はβ４方向へ回動させられる。移送アーム２６がβ４方向へ回動すると、第２のスライド板２４の係止溝２４ｊに係止されている被回動ピン２６ｃがこの第２のスライド板２４をＹ１方向へ押圧する。
【００６１】
この際、第１のスライド板２３の係止部２３ｇには、駆動レバー１７の駆動片１７ｂが係止され、且つ駆動レバー１７のギヤ部１７ｄは減速ギヤ群２５のギヤに噛み合ってその回動が制限された固定状態にある。よって、第１のスライド板２３に対し、摺動自在に設けられている第２のスライド板２４のみが被回動ピン２６ｃによってＹ１方向へ移動させられる。
【００６２】
第１のスライド板２３と第２のスライド板２４との間には引張ばねＳ１が張架されており、第２のスライド板２４の移動により前記引張ばねＳ１はその付勢力に逆らって伸張される。よって、例えばホルダー１３の内部領域Ｓｐ内にＭＤが挿入され、移送アーム２６がβ４方向へ回動し始めた後に、その挿入を取り止めてＭＤを引き出した場合であっても、前記引張ばねＳ１が元の収縮状態に復帰することにより、第２のスライド板２４がＹ２方向へ戻され、これにより移送アーム２６がα４方向に回動され、保持部材１２を初期の待機位置（Ｙ１方向へ最も移動した位置）に復帰させることが可能である。
また、このように引張ばねＳ１を第１のスライド板２３と第２のスライド板２４との間、すなわち駆動ユニットＢの側面に設けたことにより、引張ばねＳ１を駆動ユニットＢの上面に設けた場合に比べ、この引張ばねＳ１の外径寸法分の厚みが軽減されることからディスクユニットＡ全体の厚みを薄型とするこができる。
【００６３】
さらにＭＤが押し込まれ、移送アーム２６がβ４方向へ回動すると、第２の押圧部材２７の折曲片２７ｃが移送アーム２６の前記円弧溝２６ａ１内を移動し、続いて案内溝２６ａに入り込む。
このとき、図１（Ａ）に示されるように第２の押圧部材２７は、円弧溝２６ａ１に沿って図示α３方向にわずかに回動させられる。よって、押圧部２７ｂが第２の検知スイッチＳＷ２から離れ、第２の検知スイッチＳＷ２がオフ状態に切り換わる。この第２の検知スイッチＳＷ２の切り換わりにより、ＭＤプレーヤ内にＭＤが挿入されたことを検知することができる。なお、第２の検知スイッチＳＷ２のオフ状態は、ＭＤの導入動作が完了するまで維持される。
【００６４】
前記第２の検知スイッチＳＷ２の切り換わりは、プレーヤ内に設けられたマイコン等の図示しない制御部に伝えられる。制御部は、前記第２の検知スイッチＳＷ２の切り換わりにより、ＭＤの挿入を検知し、図示しないモータドライバーを介してモータＭが始動される。
モータＭの回転駆動力は減速ギヤ群２５を介して駆動レバー１７のギヤ部１７ｄに伝達され、駆動レバー１７をβ１方向に回動させる。よって、引張ばねＳ１を介して連結されている第１のスライド板２３および第２のスライド板２４は、ともに図示Ｙ１方向へ移動させられる。この際、第２のスライド板２４の上板部２４Ａの係止溝２４ｊが、移送アーム２６の被回動ピン２６ｃを係止しながらＹ１方向に移動する。よって、移送アーム２６は、支軸２２ｄを中心として、ＭＤの押し込み力によって回動した位置からさらに図示β４方向に回動させられ、保持部材１２は図示Ｙ２方向へ引き込まれる。
【００６５】
保持部材１２の保持アーム１２ａおよび１２ｂの間には、ＭＤが保持されており、ＭＤも保持部材１２とともに図示Ｙ２方向に引き込まれる。すなわち、ＭＤをホルダー１３の内部領域Ｓｐに所定量挿入すると、以後ＭＤはモータＭの回転駆動力によりディスクユニットＡの内部方向へ自動的に引き込まれる。
保持部材１２のＹ２方向への移動の際には、保持アーム１２ａおよび１２ｂは、ホルダー１３の切欠部１３ｆおよび１３ｇと対向する位置からＹ２方向へ外れる。そして、保持アーム１２ａおよび１２ｂはホルダー１３の側板１３Ｂおよび側板１３Ｃの切欠部１３ｆ，１３ｇの奥（Ｙ２側）に形成された規制片１３ｉ，１３ｊの内面を摺動しながら、あるいは規制片１３ｉ，１３ｊと微少隙間を介して対向した状態で移動する。よって、保持アーム１２ａおよび１２ｂは、規制片１３ｉ，１３ｊによって外側から拘束されてＸ軸方向へ開こうとする弾性変形が規制される。すなわち、保持アーム１２ａと保持アーム１２ｂとの間の幅寸法Ｗおよび保持突起１２ｃと１２ｄとの間の距離Ｗａをほぼ一定に維持することができる。よって、保持突起１２ｃおよび１２ｄがＭＤの凹部Ｃ１，Ｃ１から抜け出ることがなく、保持部材１２によりＭＤがＹ２方向へ確実に引き込まれる。
【００６６】
また、ＭＤを保持した保持部材１２のＹ２方向への移動と同時に駆動レバー１７のβ１方向への回動により、摺動板２１はＹ２方向に移動するため、昇降部材１４の昇降ピン１４ａは規制部２１ｆ内から傾斜部２１ｉにより下降して遊び部２１ｃ内に至る。
同様に第１のスライド板２３および第２のスライド板２４はＹ１方向へそれぞれ移動するため、昇降部材１４の昇降ピン１４ｂは，規制部２３ｆおよび２４ｆ内から、傾斜部２３ｉおよび２４ｉにより下降して遊び部２３ｃおよび２４ｃ内に至る。
【００６７】
昇降ピン１４ａと１４ｂが傾斜部２１ｉ，２３ｉ，２４ｉにより下降させられると、その後は反転ばねからなる付勢部材Ｓ２，Ｓ３によって昇降部材１４がδ２方向へ回動力を受ける。よって、この昇降部材１４に支持部１３ｄ，１３ｅを介して連結されているホルダー１３がＺ２（ディスク駆動部Ｂ２）方向へ下降され、ホルダー１３内に保持されているＭＤ内の光磁気ディスクＤの中心ハブがディスク駆動部Ｂ２のターンテーブルＴａ上に装着される。
【００６８】
同時に、駆動ベース１５の保持突起１５ａおよび１５ｂは、それぞれ摺動板２１の規制部２１ｄ又は２１ｅから遊び部２１ａ又は２１ｂ内に至る。また駆動ベース１５の保持突起１５ｃおよび１５ｄも、それぞれ規制部２３ｄ，２４ｄ又は２３ｅから遊び部２３ａ又は２４ａに至る。これにより、駆動ベース１５のＺ方向およびＹ方向のロックが解除される。
【００６９】
上述のように、摺動板２１および第１のスライド板２３は、その係止部２１ｇおよび２３ｇにおいて、駆動レバー１７の両端の駆動片１７ａおよび１７ｂにそれぞれ係止され、この駆動レバー１７の回動動作によって相対的に摺動される。よって、駆動ユニットＢの両側面では、摺動板２１、第１のスライド板２３および第２のスライド板２４を互いに一致するタイミングで摺動させることができる。すなわち、駆動ユニットＢをロックしていた保持突起１５ａ，１５ｂ，１５ｃ，１５ｄおよび昇降ピン１４ａ，１４ｂのすべての拘束を同時に解除して非ロック状態とすることができる。これにより、駆動ユニットＢは、主筐体１６の内部に上記ダンパー部材３０，３１，３２および図示しない付勢部材によって弾性的に支持される。よって、車の運転中の振動などを有効に吸収することが可能となるため、いわゆる再生中の音飛び現象などを防止することが可能となる。
【００７０】
また、摺動板２１および第１のスライド板２３および第２のスライド板２４を互いに逆方向に均等に移動させることができるため、これらの移動に伴って昇降するホルダー１３の姿勢を水平に維持することができる。よって、このホルダー１３内のＭＤも水平状態のままディスク駆動部Ｂ２に対して接近、離間するため、ＭＤの光磁気ディスクの中心ハブをターンテーブルＴａに対して確実に装填、離脱させることができる。
【００７１】
ＭＤが保持部材１２で保持されてホルダー１３内をＹ２方向へ引き込まれる過程において、ホルダー１３に形成されている開口片１３ｈが、ＭＤのＸ１側の側面の案内溝Ｃ２に入り込む。さらに、ＭＤがＹ２方向へ引き込まれるときに開口片１３ｈがＭＤ内に設けられているロック部材（図示せず）のロックを解除し、さらにシャッタＧの係止部Ｇ２に当接する。同時にシャッタＧの側面を摺動していた閉鎖部材Ｋの凸部Ｋ１が、シャッタＧの側面の保持穴Ｇ１に入り込んでシャッタＧを保持する。
【００７２】
さらにＭＤが引き込まれると、案内溝Ｃ２内を移動する開口片１３ｈがシャッタＧの係止部Ｇ２を相対的に図示Ｙ１方向に押圧する。よって、ＭＤのみが移動し、シャッタＧはその位置に保持されることとなるため、引き込み動作に伴ってシャッタＧが開放されてＭＤの開口窓Ｃ４が開かれ、光磁気ディスクＤが露出される。すなわち、光磁気ディスクＤの中心ハブがターンテーブルＴａ上に装着されると、ＭＤの開口窓Ｃ４から露出した光磁気ディスクＤの記録面がピックアップＰと対向し、ＭＤの導入動作が完了する。
【００７３】
ＭＤの導入動作が完了した時点で駆動レバー１７はβ１方向に最も回動した状態にある。このとき第１の押圧部材１８の凸部１８ｂは、駆動レバー１７の駆動溝１７ｃ内の第２の回動溝１７ｃ２に入り込む。よって、第１の押圧部材１８はα２方向に回動され、押圧片１８ｃが第１の検知スイッチＳＷ１から離れることから、第１の検知スイッチＳＷ１はオフ状態に切り換わる。
【００７４】
前記制御部（図示せず）では、この第１の検知スイッチＳＷ１のオフ状態への切り換わりを検知することにより、ＭＤの導入動作の完了を検知する。そして、制御部では、図示しないスピンドルモータを回転駆動させＭＤ内の光磁気ディスクＤを回転させるとともにピックアップＰをＸ軸方向に摺動させ（図４参照）、情報の再生又は記録動作が行われる。
（記録媒体の排出動作）
ＭＤ（ＭＤ）の排出動作は、例えばＭＤプレーヤの前面パネルに設けられたイジェクト釦が操作されることによって開始され、上記導入動作とは逆の手順によって行われる。ＭＤは保持部材１２によって保持されたまま移送アーム２６のα４方向への回動動作により前記ディスク挿入口の方向（Ｙ１方向）に移送される。そして、保持部材１２は前記待機位置、すなわち保持アーム１２ａ，１２ｂがホルダー１３の切欠部１３ｆ，１３ｇに対向する位置まで移送される。このとき、ＭＤのＹ１側の先端部が前記ディスク挿入口から突出する。よって、ＭＤを掴んで排出方向（Ｙ１方向）へ引き出すことにより、ＭＤを取り出すことができる。
【００７５】
この際、保持アーム１２ａ，１２ｂは、ホルダー１３の切欠部１３ｆ，１３ｇに対向しているため、ＭＤがＹ１方向へ引き出されるときに、保持突起１２ｃおよび１２ｄがＭＤの凹部Ｃ１，Ｃ１から離脱する方向へ保持アーム１２ａ，１２ｂが弾性変形できる。よって、保持突起１２ｃおよび１２ｄによるＭＤの係止が容易に解除され、ＭＤを軽い力で取り出すことができる。このときＭＤは、シャッタＧが閉鎖された状態でＭＤプレーヤのディスク挿入口から取り出される。
【００７６】
上記実施の形態では、切換え部材である摺動板２１および第１と第２のスライド板２３、２４が移動するとディスク駆動部Ｂ２に対しホルダー１３が昇降する駆動ユニットＢを示したが、その他ホルダー１３に対しディスク駆動部Ｂ２側が昇降するもの、あるいはホルダー１３と駆動ユニットＢ２とが互いに接近および離間を行なうべく双方が昇降するものであってもよい。
また摺動板２１と第１のスライド板２３および第２のスライド板２４とは、互いに逆方向に移動するものを示したが、本発明はこれに限られるものではなく、同一方向に移動するものであってもよい。
【００７７】
【発明の効果】
以上詳述した本発明によれば、駆動ユニットの拘束およびその拘束の解除動作、ホルダーの昇降動作による記録媒体の駆動部への装填およびその装填解除動作、移送アームの移動による記録媒体の挿入動作およびその排出動作など各種の動作を切換え部材の移動に連動させて行うことができる。よって、各動作専用の駆動部材を別途設ける必要がなくなるため、部品点数を削減でき、装置全体の小型化を図ることができる。
【図面の簡単な説明】
【図１】本発明の実施の形態を示し、（Ａ）はＭＤプレーヤ内に配置されるディスクユニットを示す平面図、（Ｂ）はその正面図、
【図２】図１に示したディスクユニットの分解斜視図、
【図３】駆動ユニット（ディスク保持・駆動部）の分解斜視図、
【図４】ＭＤ（ミニディスク）を示す斜視図、
【図５】ＭＤがホルダーの内部に挿入され始めた状態を示し、（Ａ）は平面図、（Ｂ）は側面図、
【符号の説明】
１２  保持部材
１２ａ，１２ｂ  保持アーム
１２ｃ，１２ｄ  保持突起
１２ｅ，１２ｆ  支持部
１２ｇ  長溝
１２Ａ，１２Ｂ  摺動部
１３  ホルダー
１３ａ，１３ｂ  ガイド溝
１３ｃ  逃げ溝
１３ｄ，１３ｅ  支持部
１３ｆ，１３ｇ  切欠部
１３ｈ  開口片
１３ｉ，１３ｊ  規制片
１３Ａ  上板
１３Ｂ，１３Ｃ  側板
１４  昇降部材
１４ａ，１４ｂ  昇降ピン
１５  駆動ベース
１５ａ，１５ｂ，１５ｃ，１５ｄ  保持突起
１５ｉ，１５ｊ，１５ｋ  支持ピン
１６  主筐体
１７  駆動レバー
１７ｃ  駆動溝（カム機構）
１７ｃ１  第１の回動溝（第２の操作部）
１７ｃ２  第２の回動溝（第１の操作部）
１８  第１の押圧部材（検知レバー）
１８ｂ  凸部（カム機構）
２１  摺動板（切換え部材）
２１ａ，２１ｂ，２１ｃ  遊び部
２１ｄ、２１ｅ、２１ｆ  規制部
２１ｇ  係止部
２１ｉ  傾斜部
２２  固定シャーシ
２３  第１のスライド板（切換え部材）
２３ａ，２３ｂ，２３ｃ  遊び部
２３ｄ，２３ｅ，２３ｆ  規制部
２３ｉ  傾斜部
２３ｇ  係止部
２４  第２のスライド板（切換え部材）
２４Ａ  上板部
２４Ｂ  側板部
２４ａ，２４ｃ  遊び部
２４ｄ，２４ｆ  規制部
２４ｉ  傾斜部
２５  減速ギヤ群
２６  移送アーム
２７  第２の押圧部材
２９  支持枠
３０，３１，３２  ダンパー部材
Ａ  ディスクユニット
Ｂ  駆動ユニット（ディスク保持・駆動部）
Ｂ１  ディスク保持部
Ｂ２  ディスク駆動部
Ｃ  ディスクケース
Ｄ  光磁気ディスク
Ｋ  閉鎖部材
Ｍ  モータ
Ｓ１  引張ばね（付勢部材）
ＳＷ１  第１の検知スイッチ
ＳＷ２  第２の検知スイッチ
【図１】
0003727171.tif 000002
【図２】
0003727171.tif 000003
【図３】
0003727171.tif 000004
【図４】
0003727171.tif 000005
【図５】
0003727171.tif 000006